(57)【要約】  本発明は、多次元映像を捕捉して上映するシステムを含む。一実施形態において、捕捉された映像内に視覚的に表わされた視覚エレメントの距離データを捕捉し記録する捕捉・記録装置が設けられる。更に、捕捉された映像内の情報を区別し割り当てるように動作できる割り当て装置が設けられる。又、捕捉された映像を表示するよう動作できる上映装置も含まれ、この上映装置は、映像をタンデムに表示するために複数のディスプレイを備え、これら複数のディスプレイは、視聴者から選択的に異なる距離に映像を表示する。【選択図】図１
2009500963.tif 000002
【特許請求の範囲】
【請求項１】
多次元視覚情報を与える方法において、
カメラで映像を捕捉するステップであって、前記映像が視覚アスペクトを含むものであるステップと、
前記視覚アスペクトに関する空間的データを捕捉するステップと、
前記捕捉された映像から映像データを発生するステップと、
前記空間的データの関数として前記映像データを選択的に変換して、多次元視覚情報を与えるステップと、
を備えた方法。
【請求項２】
レンズ映像を捕捉するシステムにおいて、
前記レンズ映像を捕捉するように動作できるカメラと、
捕捉された視覚像内の少なくとも１つの視覚エレメントに関する空間的データを収集するように動作できる空間的データコレクタと、
前記空間的データを使用して、前記捕捉された視覚像の三次元アスペクトを区別するためのコンピューティング装置と、
を備えたシステム。
【請求項３】
前記視覚像の三次元アスペクトは、前記空間的データに基づき視聴者に対して選択的に異なる距離に明示され、前記距離は、視聴者の視線に沿った異なるポイントを含む、請求項２に記載のシステム。
【請求項４】
前記映像は、電子的に捕捉される、請求項２に記載のシステム。
【請求項５】
前記映像は、デジタルで捕捉される、請求項２に記載のシステム。
【請求項６】
前記映像は、写真フィルムに捕捉される、請求項２に記載のシステム。
【請求項７】
前記カメラの選択されたアスペクトに対する前記空間的データコレクタの物理的位置を表わすオフセット情報を更に備え、前記コンピューティング装置は、前記オフセット情報を使用して、前記空間的データコレクタの物理的位置から生じる空間的データのオフセット歪を選択的に調整する、請求項２に記載のシステム。
【請求項８】
写真映像を捕捉して三次元的な見掛けを与えるシステムにおいて、
映像を捕捉するように動作できるカメラと、
映像内の視覚エレメントに関する空間的データを収集し提示するように動作できる空間的データ収集装置と、
少なくとも前記空間的データを記録するように動作できるデータレコーダと、
前記空間的データの選択的適用により影響されて前記映像に関するデータの関数として最終的な映像を生成するためにコンピューティング装置で動作できる映像データ変換ソフトウェアと、
を備えたシステム。
【請求項９】
前記データレコーダは、前記カメラ及び空間的データ収集装置の動作に続いて、少なくとも空間的データを記憶するように動作する、請求項８に記載のシステム。
【請求項１０】
多次元映像を捕捉して上映するシステムにおいて、
捕捉された映像内に視覚的に表わされた視覚エレメントの距離データを捕捉し記録する捕捉・記録装置と、
捕捉された映像内の情報を区別し割り当てるように動作できる割り当て装置と、
捕捉された映像を表示するように動作できる上映装置であって、映像をタンデムに表示するために複数のディスプレイを備え、これら複数のディスプレイが視聴者から選択的に異なる距離に映像を表示するような上映装置と、
を備えたシステム。
【請求項１１】
映像を上映するシステムにおいて、
シーンを表わす視覚データを捕捉するように動作できる視覚データ捕捉装置と、
視覚データの少なくとも前景及び背景エレメントを表わす非視覚データを捕捉するように動作できる非視覚データ捕捉装置と、
前記捕捉された視覚データ及び捕捉された非視覚データに基づき表示される視覚データの少なくとも１つの反射及び直視アッセンブリの各平面に映像を表示するように動作できる複数のディスプレイと、
を備え、前記非視覚データは、前記複数のディスプレイの各平面への前記捕捉された視覚データの前景及び背景エレメントの割り当てを知らせるものである、システム。
【請求項１２】
前記ディスプレイは、選択された不透明度を有する表示スクリーンである、請求項１１に記載のシステム。
【請求項１３】
前記視覚データは、単一レンズを通して与えられる視覚像の２つの異なる焦点アスペクトから導出される、請求項１１に記載のシステム。
【請求項１４】
前記視覚データは、映像捕捉時に選択的に同時に収集される視覚及び空間的データから導出される、請求項１１に記載のシステム。
【請求項１５】
前記非視覚データは、前記視覚データ捕捉装置に対する優位なポイントから収集される空間的データを含む、請求項１１に記載のシステム。
【請求項１６】
視覚像捕捉手段を更に備え、空間的データは、映像捕捉手段の位置ではなく優位なポイントから捕捉される、請求項１１に記載のシステム。
【請求項１７】
前記映像明示平面は、視聴者に対する選択的反射映像明示前景平面と、不透明映像反射後方映像明示平面とを含む、請求項１１に記載のシステム。
【請求項１８】
前記映像明示平面は、表示スクリーンである、請求項１７に記載のシステム。
【請求項１９】
前記複数の映像明示平面の１つは、反射投影スクリーンである後方映像明示平面である請求項１７に記載のシステム。
【請求項２０】
前記複数の映像明示平面の１つは、直視モニタである後方映像明示平面である請求項１７に記載のシステム。
【請求項２１】
ユーザにより動作できるコンピューティング装置と、
ユーザにより与えられる入力に応答して前記コンピューティング装置内で動作可能なデジタル映像変換プログラムと、
映像を与えるように動作できる映像捕捉要素と、
を備え、前記プログラムは、この映像捕捉要素の動作とタンデムに収集される距離データに基づき映像のアスペクトに対応するデータの選択的ゾーン分離を適用するように動作する、多次元像形成システム。
【請求項２２】
前記アスペクトは、少なくとも１つの個別のデジタルファイルを発生するために前記映像内で識別可能な個別の物体を含む、請求項２１に記載のシステム。
【請求項２３】
映像として捕捉するために視覚シーンに関してカメラレンズを通して中継される光と、前記映像により表わされる前記光のアスペクトのその後の輪郭とを捕捉するシステムにおいて、
映像を捕捉するよう動作できるカメラと、
前記視覚シーンに関する映像内の少なくとも１つの視覚的に見分けられる映像アスペクトに関連した空間的データを捕捉し送信するように動作できる空間的データ収集装置と、
前記空間的データ収集装置により送信される空間的データを記憶するように動作できる記憶装置と、
を備え、前記空間的データは、意図された視聴者からの選択的深度に生じる少なくとも２つの個別の視聴可能な映像明示エリアへゾーンを割り当てるために複数の映像ゾーンを区別するものであり、このようなエリアのこのような深度は、視聴者の視線に沿って測定して、意図された視聴者から一方が他方より更に離れていることを含む、システム。
【請求項２４】
前記視覚的に見分けられる映像アスペクトは、レンズ映像のエレメントとして捕捉されると識別できる物体である、請求項２３に記載のシステム。
【請求項２５】
前記空間的データは、無限の数の個別の視聴可能な映像明示エリアを区別する、請求項２３に記載のシステム。
【発明の詳細な説明】
【技術分野】
【０００１】
本発明は、像形成に係り、より詳細には、多次元表示のような映像表示オプションを与えるための視覚及び空間データを捕捉することに係る。
【０００２】
関連出願へのクロスリファレンス：本出願は、次の特許出願に基づくもので、その優先権を請求するものである。２００５年７月６日に出願された“METHOD, SYSTEM AND APPARATUS FOR CAPTURING VISUALS AND/OR VISUAL DATA AND SPECIAL DEPTH DATA RELATING TO OBJECTS AND/OR IMAGE ZONES WITHIN SAID VISUALS SIMULTANEOUSLY”と題する米国プロビジョナル特許出願第６０／６９６，８２９号；２００５年７月２２日に出願された“METHOD, SYSTEM AND APPARATUS FOR INCREASING QUALITY OF FILM CAPTURE”と題する米国プロビジョナル特許出願第６０／７０１，４２４号；２００５年７月２７日に出願された“SYSTEM, METHOD AND APPARATUS FOR CAPTURING AND SCREENING VISUALS FOR MULTI-DIMENSIONAL DISPLAY”と題する米国プロビジョナル特許出願第６０／７０２，９１０号；２００５年８月２５日に出願された“SYSTEM, METHOD AND APPARATUS FOR CAPTURING AND SCREENING VISUALS FOR MULTI-DIMENSIONAL DISPLAY (ADDITIONAL DISCLOSURE)”と題する米国プロビジョナル特許出願第６０／７１１，３４５号；２００５年８月２５日に出願された“A METHOD, SYSTEM AND APPARATUS FOR INCREASING QUALITY OF FILM CAPTURE”と題する米国プロビジョナル特許出願第６０／７１０，８６８号；２００５年８月２９日に出願された“A METHOD, SYSTEM AND APPARATUS FOR INCREASING QUALITY AND EFFICIENCY OF FILM CAPTURE”と題する米国プロビジョナル特許出願第６０／７１２，１８９号；２００５年１０月１６日に出願された“A METHOD, SYSTEM AND APPARATUS FOR INCREASING QUALITY OF DIGITAL IMAGE CAPTURE”と題する米国プロビジョナル特許出願第６０／７２７，５３８号；２００５年１０月３１日に出願された“A METHOD, SYSTEM AND APPARATUS FOR INCREASING QUALITY AND EFFICIENCY OF FILM CAPTURE WITHOUT CHANGE OF FILM MAGAZINE POSITION”と題する米国プロビジョナル特許出願第６０／７３２，３４７号；２００５年１１月２２日に出願された“DUAL FOCUS”と題する米国プロビジョナル特許出願第６０／７３９，１４２号；２００５年１１月２５日に出願された“SYSTEM AND METHOD FOR VARIABLE KEY FRAME FILM GATE ASSEMBLAGE WITHIN HYBRID CAMERA ENHANCING RESOLUTION WHILE EXPANDING MEDIA EFFICIENCY”と題する米国プロビジョナル特許出願第６０／７３９，８８１号；２００５年１２月１５日に出願された“A METHOD, SYSTEM AND APPARATUS FOR INCREASING QUALITY AND EFFICIENCY OF (DIGITAL) FILM CAPTURE”と題する米国プロビジョナル特許出願第６０／７５０，９１２号。これら特許出願の全内容は、参考としてここに援用する。更に、本出願は、次の特許出願もその全体を参考として援用する。２００６年６月２２日に出願された“SYSTEM AND METHOD FOR DIGITAL FILM SIMULATION”と題する米国特許出願第１１／４７３，５７０号；２００６年６月２１日に出願された“SYSTEM AND METHOD FOR INCREASING EFFICIENCY AND QUALITY FOR EXPOSING IMAGES ON CELLULOID OR OTHER PHOTO SENSITIVE MATERIAL”と題する米国特許出願第１１／４７２，７２８号；２００６年６月５日に出願された“MULTI-DIMENTIONAL IMAGING SYSTEM AND METHOD”と題する米国特許出願第１１／４４７，４０６号；及び２００６年４月２０日に出願された“SYSTEM AND METHOD TO SIMULATE FILM OR OTHER IMAGING MEDIA”と題する米国特許出願第１１／４０８，３８９号。これら特許出願の内容は、そのままここに援用する。
【背景技術】
【０００３】
映画及びテレビの技術が収斂するにつれて、例えば、デジタルビデオディスク、コンピュータ及びインターネットを経て提供される視聴オプション及びメディアのクオリティが得られるので、とりわけ、表示スクリーンサイズ、解像度及び音響のようなオーディオ−ビジュアル選択性が改善され拡充された。家庭で視聴する技術の開発は、映画（例えば、映画館）体験の価値に否定的な影響を及ぼし、家庭で視聴するものと、映画の視聴との間の表示クオリティの相違が小さくなって、映画上映開催地及び映画産業全体を潜在的に脅かす点にまで至っている。家庭の視聴者は、かつて映画館でしか得られなかった技術的な利益の多くを楽しむことができ、又、楽しみ続けようとし、従って、映画館でしか味わえない新規で独特な体験的効果の必要性が高まっている。
【０００４】
馴染み深い従来の「二次元」フォーマット、例えば、普通のフィルムカメラやデジタルカメラで映像が捕捉されるときには、不都合なことに、映像における物体の三次元リアリティが失われる。実際の映像アスペクトの特殊なデータがないと、人間の目は、映画館で普通に投射され及びテレビ、コンピュータ及び他のディスプレイに表示される映像を含む映像内における物体の深度関係を類推しようとしない。従って、視聴者に分る視覚の糸口即ち「キュー」が、少なくとも知性で見分けられる程度に、前景及び背景に且つ互いに「知能的」に割り当てられる。実際の物体を個人が見るときには、空間又は深さデータが、両眼のオフセット位置の関数として脳により解釈され、従って、個人は、例えば、従来のカメラで二次元的に捕捉されたものを越えて物体の深度を解釈することができる。体験及び論理に基づいて人間の知覚で自動的に「配置」できないときには、視聴者の知力により一般的な仕方で深さ配置が本質的に指定され、人間の知覚において視覚で「空間的な感覚」を作れるようにする。
【０００５】
従来技術では、信号及び／又は電子的に発生された送信を送出し及び受け取って物体の空間的関係を測定することを含むソナー及びレーダーのような技術が知られている。このような技術は、典型的に、送信が電子受信器へ「戻る時間」の差を計算し、それにより、各測定エリア内の物体と、信号又は送信を放送するユニットとの間の距離及び／又は空間的関係を表わす距離データを与えることを含む。空間的関係データは、例えば、距離サンプリング及び／又は他の多次元データ収集技術により与えられ、そしてデータは、視覚的捕捉と結合されて、エリアの三次元モードを生成する。
【発明の開示】
【発明が解決しようとする課題】
【０００６】
現在、従来技術では、例えば、カメラにより捕捉された視覚データを、視覚のアスペクト(aspect)に関する実際の空間データと共に合体し、且つ多数の映像及び／又は映像アスペクトの改善型積層表示を提示するために映像アスペクト間にその後デジタル輪郭を含ませる、審美的に優れた多次元視覚像を形成するシステムも方法もない。
【課題を解決するための手段】
【０００７】
一実施形態において、本発明は、多次元視覚情報を与えそしてカメラで映像を捕捉する方法であって、映像が視覚アスペクトを含むような方法を提供する。更に、空間的データが視覚アスペクトに関して捕捉され、捕捉された映像から映像データが捕捉される。最終的に、この方法は、空間的データの関数として映像データを選択的に変換し、多次元視覚情報を与えることを含む。
【０００８】
別の実施形態において、本発明は、レンズ映像を捕捉するシステムであって、レンズ映像を補足するように動作できるカメラを備えたシステムを提供する。更に、捕捉された視覚像内の少なくとも１つの視覚エレメントに関する空間的データを収集するように動作できる空間的データコレクタが含まれる。更に、空間的データを使用して、補足した視覚像の三次元アスペクトを区別するように動作できるコンピューティング装置が含まれる。
【０００９】
更に別の実施形態において、本発明は、多次元映像を捕捉しそして上映するシステムを提供する。捕捉された映像内に視覚的に表わされる視覚エレメントの距離データを捕捉し記録する捕捉・記録装置が設けられる。更に、捕捉された映像内の情報を区別し割り当てるように動作できる割り当て装置が設けられる。又、捕捉された映像を表示するように動作できる上映装置も含まれ、この上映装置は、映像をタンデムに表示するための複数のディスプレイを備え、これら複数のディスプレイは、視聴者から選択的に異なる距離に映像を表示する。
【００１０】
本発明の他の特徴及び効果は、添付図面を参照した本発明の以下の説明から明らかとなろう。
【００１１】
本発明を例示する目的で、現在好ましい形態が添付図面に示されているが、本発明は、図示された正確な構成及び手段に限定されないことを理解されたい。本発明の特徴及び効果は、添付図面を参照した本発明の以下の説明から明らかとなろう。
【発明を実施するための最良の形態】
【００１２】
好ましくは、空間的データサンプリング装置により捕捉された空間的データを、カメラにより捕捉された「視覚像(visual)」と一般的に称される視覚的シーンに加えて準備するシステム及び方法が提供される。好ましくは、カメラにより捕捉された視覚像は、ここでは、一般的に「映像(image)」称される。視覚像及び空間的データは、好ましくは、視覚像の三次元アスペクトに関するデータを、例えば、後制作プロセス中に使用できるように、集合的に準備される。更に、「二次元」捕捉映像に影響する像形成オプションが、映像に関係した実際の選択された非映像データを参照して与えられ、これは、映像が多次元に見えるようにし、他の映像処理オプションを更に与える。
【００１３】
一実施形態において、カメラを備えると共に、送信を送出し及び受け取って空間的情報及び深度情報を測定するように動作できる１つ以上の装置を更に備えた多次元像形成システムが提供される。更に、データ管理モジュールは、空間的データを受け取ると共に、別々のディスプレイに個別の映像を表示するように動作できる。
【００１４】
ここで使用する「モジュール」という用語は、一般に、本発明の有効性に貢献する１つ以上の個別のコンポーネントを指す。モジュールは、１つ以上の他のモジュールを動作するか、或いはそれが機能するために１つ以上の他のモジュールに依存する。
【００１５】
好ましくは、シーンの前景及び背景（又は他の異なる映像関連プライオリティ）アスペクトを選択的に割り当て、そしてそれらアスペクトを個別の映像情報として分離するために、コンピュータ実行インストラクション（例えば、ソフトウェア）が設けられる。更に、三次元マップを発生し、そして映像の種々の三次元アスペクトを発生するために、空間的データ受け取りの既知の方法が遂行される。
【００１６】
第１の複数のメディア、例えば、フィルムを使用して、映像（１つ又は複数）の視覚像を捕捉することができ、そして第２の複数のメディア、例えば、デジタル記憶装置を使用することができる。非視覚像である空間関係データは、いずれかのメディアに記憶され、及び／又はそのメディアへ又はそのメディアから送信され、そしてあるメディア（例えば、フィルム）に記憶された映像を、他のメディア（例えば、デジタル記憶装置）に記憶された空間的データとクロス参照することにより映像を変更するようにプロセス中に使用されるのが好ましい。
【００１７】
空間的データを各映像と選択的にクロス参照するためにコンピュータソフトウェアが設けられるのが好ましく、そして映像は、視覚像に対して各部分及び空間的情報を識別するための手動ユーザ入力又はインストラクションを必要とせずに変更することができる。もちろん、当業者であれば、例えば、審美的な調整を行なうための全てのユーザ入力が必ずしも排除されないことが明らかであろう。従って、ソフトウェアは、実質的に自動的に動作するのが好ましい。コンピュータオペランド「変換」プログラムは、最初に捕捉された映像データを、ユーザの審美的目標により決定された実質的に無制限の数の最終的に表示可能な「バージョン」に向けて変更するように動作できる。
【００１８】
好ましい実施形態では、深度測定要素に結合されたカメラが設けられる。このカメラは、動画、デジタル、高鮮明度デジタル映画カメラ、テレビカメラ、又はフィルムカメラを含む多数の形式の１つでよい。一実施形態において、カメラは、２００６年６月５日に出願された“MULTI-DIMENSIONAL IMAGING SYSTEM AND METHOD”と題する米国特許出願第１１／４４７，４０６号に説明され請求された「ハイブリッドカメラ」であるのが好ましい。このようなハイブリッドカメラは、例えば、二重焦点上映のために二重焦点捕捉を与えるのが好ましい。本発明の好ましい実施形態によれば、ハイブリッドカメラには、深度測定要素が適宜に設けられる。深度測定要素は、例えば、ソナー、レーダー、又は他の深度測定特徴を備えている。
【００１９】
従って、ハイブリッドカメラは、捕捉された映像データ内に生じる物体の映像及び空間的関係データの両方を受け取るように動作できるのが好ましい。特徴の組み合せにより、後制作及び／又は上映プロセス中に付加的な創作的オプションを設けることができる。更に、従来の映画投射及び／又はテレビディスプレイから様々な仕方で観衆に映像データを与えることができる。
【００２０】
一実施形態では、デジタル高鮮明度カメラユニットのようなハイブリッドカメラは、深度測定送信及び受信要素をカメラハウジング内に合体するように構成される。深度関係データは、同じカメラによりデジタルで捕捉された視覚像データに基づいて受信されそして選択的にログされ、従って、捕捉されたキー映像ゾーンに関係するカメラデータから深度情報又は距離情報を選択的に与えるのが好ましい。
【００２１】
一実施形態では、深度関係データは、デジタル視覚像データを記憶するのに使用された同じテープ又は記憶メディアに記録されるのが好ましい。データ（同じメディアに記録されてもされなくても）は、タイムコードであるか、さもなければ、捕捉及び記憶され又は捕捉及び送信され、放送され、等の対応する視覚像に対するデータ間の適切な参照について同期される。上述したように、深度関係データは、視覚像データが記憶される特定のメディア以外のメディアに記憶されてもよい。分離して目に見えるように表わされると、空間的データは、フレーム化映像エリアの一種の「レリーフマップ」を与える。ここで使用するフレーム化映像エリアは、一般に、映像「ライブエリア」と称される。このレリーフマップは、次いで、最終的な表示に意図される三次元映像効果のような、選択的に控え目で且つ特有のレベルにおいて映像を変更するように適用できる。
【００２２】
更に、深度関係データは、視覚像データが捕捉され記憶される間に、同時に収集され記録されるのも任意である。或いは又、深度データは、デジタル映像データの各フレームに対して密接な時間周期内に捕捉されてもよいし、及び／又はビデオデータが捕捉されてもよい。更に、モウリー氏の前記プロビジョナル及び非プロビジョナルの出願中の特許出願であって、映像ごとに向上させたデータコンテンツを与えて、例えば、解像度に影響するようにデジタル又はフィルム映像のキーフレームを発生することに係る特許出願に開示されたように、深度データは、必ずしも、捕捉される各々の映像に対して収集されない。既存の映像に対する映像推測特徴（例えば、モーフィング）は、例えば、毎秒２４フレーム未満を映像捕捉中に空間的にサンプリングし記憶することしか許さない。更に、デジタル推測特徴は、捕捉されたレンズ映像に対して映像内の物体に関係した空間的データサンプリング間に捕捉された多数の映像における映像ゾーンに周期的な空間的捕捉が影響するのを許す。映像「ゾーン」又はアスペクトが各空間的データサンプリング間でシフトする間に受け容れられる審美的結果及び効果を達成するために、受け容れられる空間的データサンプリングがシステムに対して維持される。当然、スチールカメラ、又は本発明の単一フレーム用途では、単一の空間的収集又は「マップ」が、捕捉される個々のスチール映像ごとに収集され記憶されるのが好ましい。
【００２３】
更に、モウリー氏の前記プロビジョナル及び非プロビジョナルの出願中の特許出願に開示され、且つその他従来技術で知られた他の像形成手段及びオプションは、ここに説明する空間的データ収集像形成システムに選択的に結合されてもよい。例えば、レンズ収集映像の異なる焦点（又はさもなければ、光学的又はその他映像変更作用のために異なる）のバージョンであって、ここに開示する空間的データの集合を含むバージョンが、捕捉される。これは、例えば、２つの異なる映像として捕捉されたレンズ視覚像の個別バージョンの別々の応用及び使用を許す。上述したようなキーフレーム解決策は、映像の解像度を高め（キーフレームを映像データコンテンツに非常に多く許して、その後の映像にこのデータを満たすことにより）、そしてここに述べる空間的データ収集アスペクトにも結び付けて、独特のキーフレーム発生ハイブリッドを生成することができる。このように、キーフレーム（これは、モウリー氏のように、資料の全体的な像形成解像度を高めると同時に、従来のメディアの記録時間を延長するために選択的に捕捉されるものでもよい）は、更に、それに関係した空間的データをセーブすることができる。従って、キーフレームは、潜在的に視覚像データに対するものだけでなく、映像に関係したデータの他のアスペクトに対するキーフレームでもあり、キーフレームが、他の映像細部に関係した映像データ及び情報を与えるのを許し、その一例は、映像アスペクト割り当てデータである（視聴者の位置に対してこのようなアスペクトを明示することに関して）。
【００２４】
モウリー氏の前記プロビジョナル及び非プロビジョナルの出願中の特許出願に開示されたように、後制作及び／又は上映プロセスは、カメラによって捕捉された視覚像に対して付加的なデータによる付加的なオプションで向上され改善される。例えば、単一レンズにより捕捉された異なる焦点の映像を表示するためにデュアルスクリーンが設けられる。ここに示す実施形態によれば、深度関係データは、ユーザの希望のパラメータに基づいて映像ゾーンに選択的に適用された。データは、選択的な特殊性及び／又はプライオリティと共に適用され、そしてどの映像データが各スクリーンへ中継されるか決定及び／又は判断するのに有用なデータでの計算プロセスを含む。例えば、特殊な効果又は関心を有する視聴体験を生成するために、前景又は背景データが選択される。ここに示す教示によれば、空間的な差異で生じる映像データの結果として三次元視覚効果を与えることができ、これにより、表示スクリーンと捕捉中の実際の前景及び背景エレメントとの間は必ずしも同じ距離ではないが、映像捕捉中に生じる前景及び背景の映像データの真に迫った空間的差異を模倣することができる。
【００２５】
分割スクリーンプレゼンテーションのためのユーザ基準は、当然、投射、個々の「ショット」又は映像を調整して（例えば、次元的に）、望ましい最終映像結果を達成できるように選択可能である。視聴者（１人又は複数）からの種々の距離における複数の表示又は表示アスペクトのオプションは、潜在的に非常に離散的で且つ厳密に多次元的な表示を許す。潜在的に、小さな、又は例えば単一「ピクセル」より小さな映像アスペクトは、変更された表示内で視聴者（１人又は複数）の位置に対してそれ自身の独特の距離を有し、これは、例えば、視聴者又は生のシーン或いはそれを捕捉するカメラに対して見えているものの各々のアスペクトまでの独特の距離を、ちょうど、単一の実際の視覚像が含むようなものである。
【００２６】
カメラ内に又はカメラと共に設けられる深度測定装置により収集される深度関係データは、全体的な映像データ及び選択されたゾーンの特殊な処理を行うことができる。例えば、物体の三次元視覚的現実性の複写を、上述したプロビジョナル及び非プロビジョナルの特許出願に開示されたオフセットスクリーン方法により、或いは他の既知の技術により、捕捉された映像データに関係するものとして行うことができる。従って、視覚的に捕捉された物体に対する付加的なデータの存在は、映画に対するものか、テレビに対するものか又はスチール写真に対するものかに関らず、従来のフィルム又はデジタル捕捉では失われる多数の後制作及び特殊な処理オプションを与える。更に、単一の映像から生成され且つ空間的データに基づいて変換される異なるデータファイルは、生成された新規な映像ファイルの各々において最初に捕捉された映像の全てのアスペクトを選択的に維持することができる。望ましい上映効果を達成するように空間的データに基づいて特定の変更を課し、それにより、相互に個別のものとなるように映像アスペクトを必ずしも「ドロップ」させない異なる最終的映像ファイルを形成する。
【００２７】
本発明の更に別の構成では、二次の（付加的な）空間的／深度測定装置は、物理的にカメラの一部分ではない状態で、又はカメラの物理的至近に配置されて、カメラと共に動作することができる。多数の送信／受信（或いは他の深度／空間的及び／又は３Ｄ測定装置）を、カメラに対して選択的に配置して、カメラのレンズ視野内の物体の付加的な位置、形状及び距離データ（並びに他の関係位置及び形状データ）を与え、後制作オプションを向上させて、カメラのレンズ視野を越えたところにある物体の部分のデータを、他の効果の目的及びデジタル作業に許すことができる。
【００２８】
一実施形態では、複数の空間的測定ユニットがカメラレンズに対して選択的に配置されて、カメラで何を撮影するかに関連した物体及び環境の個別の且つ選択的詳細の三次元データマップを発生する。このデータマップは、カメラで捕捉された映像を変更し、そして実際の人間の体験に近い独特な上映体験及び視覚的結果、或いは二次元の映画で与えられるものを越えた少なくとも積層状多次元印象を選択的に生成するのに使用されるのが好ましい。更に、映像に関係した空間的データは、「ある」空間的データ、又は映像関連情報の追加次元を与える映像データを越えた他のデータを伴わずに、映像における単なる三次元クオリティを「偽造」し又は即興で作る既知の像形成オプションを許してもよい。このような多位置映像及び空間的データ収集システムに対する情報を収集するのに、２つ以上の映像捕捉カメラを更に使用してもよい。
【００２９】
同じ要素が同じ参照番号で示された添付図面を参照すれば、図１は、例えば、フィルムカメラ又は高鮮明度デジタルカメラとしてフォーマットされるカメラ１０２を示し、これらカメラは、２つの物体、即ち木及びテーブルの例示的視覚像の映像及び空間的データを捕捉するために、単一又は複数の空間的データサンプリング装置１０４Ａ及び１０４Ｂに結合されるのが好ましい。図１に示す例では、空間的データサンプリング装置１０４Ａがカメラ１０２に結合されるが、空間的データサンプリング装置１０４Ｂは結合されない。前景の空間的サンプリングデータ１０６及び背景の空間的サンプリングデータ１１０は、とりわけ、最終的な表示においてテーブルを木から潜在的に分離し、これにより、視聴者の視線に沿って視聴者から異なる深度／距離に上映アスペクトの各エレメントを与えることができる。更に、背景のサンプリングデータ１１０は、映像データ処理の基礎を与えるか、又は補足した映像内の見分けられる物体（例えば、図１に示すテーブル及びツリー）に通常関係した映像の選択的に控え目なアスペクトの実際の「レリーフマップ」レコードを与える。映像の高鮮明度記録メディア１０８は、例えば、空間的データサンプリング装置１０４により与えられる空間的データと選択的に同期され及び／又はそれとタンデムに記録されるフィルム又は電子的メディアでよい。
【００３０】
図２は、人間の知力により容易に「配置」される単純な個別の前景及び背景エレメントを有する山のシーンの写真２００を例示する。前景及び背景エレメントは、明確で且つ馴染みのある空間的深度マーカー／糸口のために、人間の知力により互いに認知される。
【００３１】
図３は、図２に示す山の視覚シーン３００を、空間的なサンプリングデータが一例として映像の個別のエレメントに適用された状態で示す。コンピューティング装置は、視聴者の位置に対して異なる深度距離で選択的表示するための個別の映像データファイルを後で生成するために、特定の空間的深度データ変換プログラムを使用するのが好ましい。
【００３２】
図４は、適用された空間的サンプリングデータの関数として映像の「前景」エレメントを背景エレメントから選択的に分離した山の視覚シーン３００（図３に示す）に対応する映像４００を示す。各エレメントは、個別の最終的な表示映像情報を生成するのに有用である。
【００３３】
図５は、適用された空間的サンプリングデータの関数として映像の背景エレメントを前景エレメントから選択的に分離した山の視覚シーン３００（図３に示す）に対応する映像５００を示す。図５は、個別表示のために「２深度」システムで区別され且つ前景エレメントから区別された背景エレメントを示す。山の層は、空間的に定義される映像アスペクト輪郭の無制限の潜在性を示す。というのは、例えば、「５深度」上映システムは、各個別の「連山アスペクト」及び背景の空が、視聴者の視線に沿って視聴者からの距離に基づいて視聴者の位置に対してそれ自身の個別の表示位置を占有することを潜在的に許すからである。
【００３４】
図６は、視覚的に捕捉される映像アスペクトに対して収集された空間的データで生成されるレリーフマップの断面６００を示す。図６に示す実施形態において、レリーフマップの断面は、視覚像からのカメラレンズの各距離に基づいて、最も遠くから最も近くまでの映像特性で表わされる。視覚像は、システムのカメラレンズからの実際の各距離に実際の特徴アスペクト（例えば、山々）があるように示される。
【００３５】
白黒動画の着色中に、カラー情報は、通常、「キーフレーム」に追加され、そして無色フィルムの幾つかのフレームは、当てずっぽうの結果である色をしばしば有し、且つ白黒フィルムに最初に捕捉されたときの物体の実際の色に関係した仕方ではないのがほとんどである。「Ｔｅｃｈｎｉｃｏｌｏｒ３ストリップ」色分離プロセスは、元の写真撮影中に存在した実際の色の表現により知らされて「追加」される色を特徴として、元のシーンの表示可能なバージョンの再生成に使用するための色「情報レコード」を捕捉して記憶する（白黒フィルムの個別のストリップ内に）。
【００３６】
同様に、ここに示す教示によれば、元の映像捕捉中に捕捉された空間的情報は、カメラレンズを通して捕捉された元の視覚像の実質上無限数の「バージョン」を潜在的に知らせることができる（Ｔｅｃｈｎｉｃｏｌｏｒ３ストリッププロセスのように）。例えば、「赤はいかほどか」は、ドレスが実際に赤であり、青ではないことを見過ごさずに、Ｔｅｃｈｎｉｃｏｌｏｒ３ストリッププリントからプリントを生成する際の変数であるから、本発明は、このような範囲の審美的オプション及びアプリケーションが視覚像及びそれに対応する空間的「レリーフマップ」レコードから希望の効果（例えば、三次元視覚効果）を達成するのを許す。従って、例えば、空間的データは、選択的な細部と共に収集され、「映像当たりどれほどの空間的データが収集されるか」の意味は、「明日」の意図された表示装置又は予想される表示装置の離散性により最も良く知らされる変数である。音、色、等を伴うオリジナルフォルムの経歴的効果に基づき、それがこのような資料を捕捉し上映するのにコスト効率の良いものであった以前にも、将来の使用、応用、及びシステムの適合性に対するこのような投影の価値が知られている。今日の像形成プロセスでは、ここに述べる次元情報を収集する価値は、たとえそれが年間に捕捉される映像の表示バージョンに適用されなくても、潜在的に莫大なものであり、従って、動画、スチール写真、ビデオゲーム、テレビ、及び像形成を伴う他の投影を含む映像投影のコマーシャル提供者にとって、現在、非常に関連性のあるものである。
【００３７】
本発明により与えられる他の使い方及び製品は、当業者に明らかであろう。例えば、一実施形態では、無制限の数の映像明示エリアが視聴者の視線に沿って異なる深度で表わされる。例えば、１０フィートの深さである明確な立体表示は、カメラからの各ピクセルの空間的及び深さ位置に基づいて、異なる深度に映像の各「ピクセル」を与える。別の実施形態では、ピクセルが水平に、例えば、左から右へ、しかも、近くから遠くへ（例えば、前から後へ）選択的に与えられ、「最終的」な背景エリアにはおそらく他の深度より多くのデータが現われるような三次元テレビスクリーンが提供される。最終的背景の前では、前景データが、「希薄」な深度エリア、おそらく、特定の深度ポイントに生じる若干のピクセルを占有する。従って、映像ファイルは、選択的に変化するフォーム、例えば、１つのファイルに映像アスペクトを維持することができ、背景は、非常にソフトな焦点で与えられる（例えば、インポーズされる）。
【００３８】
以上、本発明を、特定の実施形態について説明したが、多数の他の変形や、変更や、他の使い方が当業者に明らかであろう。それ故、本発明は、ここに述べた特定の開示により限定されない。
【図面の簡単な説明】
【００３９】
【図１】種々の映像アスペクトで動作する複数のカメラ及び深度関係測定装置を示す図である。
【図２】単純且つ個別の前景及び背景エレメントを有する山のシーンの写真を例示する図である。
【図３】図２に示す山のシーンに空間的サンプリングデータを適用した図である。
【図４】図３に示す山のシーンにおいて、映像の前景エレメントを背景エレメントから選択的に分離して示す図である。
【図５】図３に示す山のシーンにおいて、映像の背景エレメントを前景エレメントから選択的に分離して示す図である。
【図６】視覚的に捕捉された映像アスペクトに対して収集された空間的データによって生成されたレリーフマップの断面図である。
【図１】
2009500963.tif 000003
【図２】
2009500963.tif 000004
【図３】
2009500963.tif 000005
【図４】
2009500963.tif 000006
【図５】
2009500963.tif 000007
【図６】
2009500963.tif 000008
【国際調査報告】
2009500963.tif 000009